Podtech/llm-jp-corpus-v4-ja_patent huggingface dataset:
(57)【要約】      （修正有）【課題】乾燥魚肉シートのソフトな食感と砂糖粒特有のシャリシャリまたはカリカリとしたユニークな食感を有する食品を提供する。【解決手段】水分含有量が１０〜２５重量％の乾燥魚肉シート１、１’間に径が凡そ１ｍｍ〜１０ｍｍの砂糖粒３を結着剤２を用いて挟み込み、幅が１ｍｍ〜１０ｍｍ、長さが１ｃｍ〜２０ｃｍのスティック体となるように裁断する。【選択図】図３
0003196457.tif 000002
【実用新案登録請求の範囲】
【請求項１】
魚肉を主原料とする乾燥魚肉シートを作成し、該シート間に径が凡そ１ｍｍ〜１０ｍｍの砂糖粒を結着剤を用いて挟み込み、適当な大きさのスティック体に切断したことを特徴とする乾燥魚肉シートで砂糖粒をサンドした食品。
【請求項２】
砂糖粒が、グラニュー糖、ザラメ糖、氷砂糖のいずれかである請求項１記載の乾燥魚肉シートで砂糖粒をサンドした食品
【請求項３】
幅が１ｍｍ〜２０ｍｍ、長さを１ｃｍ〜２０ｃｍのスティック体となしたことを特徴とする請求項１〜２記載の乾燥魚肉シートで砂糖粒をサンドした食品。
【考案の詳細な説明】
【技術分野】
【０００１】  本考案は乾燥魚肉シートで砂糖粒をサンドした食品に関する。
【背景技術】
【０００２】  乾燥魚肉シートを使用して砂糖粒をサンドした食品はこれまでになかった。
【先行技術文献】
【特許文献】
【０００３】
【特許文献１】  特開２０１０−１４８４９２
【考案の概要】
【考案が解決しようとする課題】
【０００４】  本考案品は砂糖を乾燥魚肉シート間に挟むことで、乾燥魚肉シート特有のソフトな食感とグラニュー糖やザラメ糖または氷砂糖等の砂糖粒特有のシャリシャリまたはカリカリとした食感が相まってユニークな食感を有する食品を市販に供せんとするものである。
【課題を解決するための手段】
【０００５】  本考案品は、魚肉を主原料としてその水分含有量が１０〜２５重量％になるまで乾燥させたシートを作成し、該シート間に径が凡そ１ｍｍ〜５ｍｍのグラニュー糖やザラメ糖または氷砂糖等の砂糖粒を結着剤を用いて挟み込み、幅が１ｍｍ〜２０ｍｍ、長さが１ｃｍ〜２０ｃｍの大きさに切断しスティック体としたことを特徴とする。
【考案の効果】
【０００６】  本考案における乾燥魚肉シートは含有水分量が少ないので、乾燥魚肉シートからの水分移行が抑えられ、乾燥魚肉シートに挟んだ砂糖粒が溶けることなくドライな状態を保持する。【０００７】  また、本考案品の形状をスティック体に裁断することで砂糖粒の露出部が増え、食した際に歯に当たり易く、それにより結晶糖特有のシャリシャリまたはカリカリとした食感が得られ、乾燥魚肉シートのソフトな食感と相まってユニークな食感を楽しめる。
【図面の簡単な説明】
【０００８】
【図１】  本考案品の製造状態図を説明するものであって、２枚の乾燥魚肉シートのうち１枚には砂糖粒を散布した説明図である。
【図２】  ２枚の乾燥魚肉シートで砂糖粒を挟んで一体化した説明図である。
【図３】  上記をスティック状に裁断した説明図である。
【考案を実施するための形態】
【０００９】  本考案の実施形態は、乾燥魚肉シートと結着剤と砂糖粒を有している。
【００１０】  本考案で用いられる乾燥魚肉シートは、既存の方法で魚肉を原料にして製造された薄板状で１０〜２５重量％の水分を含有するものが好ましい。
【００１１】  本考案で用いられる接着剤としては、水飴、ゲル化剤、増粘多糖類、澱粉類を原料としたものが好ましい。必要に応じて蛋白質や油脂を用いてもよい。
【００１２】  本考案における砂糖粒は、市販されているグラニュー糖、ザラメ糖や氷砂糖を用いることが出来る。グラニュー糖、ザラメ糖や氷砂糖としては粒径が１〜５ｍｍ程度のものが好ましい。
【００１３】  本考案品の裁断寸法は、幅が１ｍｍ〜２０ｍｍ、長さが１ｃｍ〜２０ｃｍであるものが好ましい。
【実施例】
【００１４】  次に実施例を挙げるが、本考案は以下の実施例に限定されるものではない。【００１５】  乾燥魚肉シート１及び１’は既存の方法で製造された魚肉を原料にして製造されたものであり、上面に水飴を主体とした結着剤２を塗布すると共に乾燥魚肉シート１の上面に対しザラメ糖からなる砂糖粒３を散布する。【００１６】  砂糖粒３の散布された乾燥魚肉シート１上に、乾燥魚肉シート１’をその結着剤２が下方となるように重ねて圧着する。【００１７】  上記を幅が２ｍｍ、長さが６ｃｍでスティック体に裁断する。
【産業上の利用可能性】
【００１８】  本考案品は魚肉を使用している珍味食品であるばかりでなく、砂糖粒による甘味からお茶請けにもなる新規の嗜好品を市場に提供するものである。
【符号の説明】
【００１９】  １、１’  乾燥魚肉シート
２        結着剤
３        砂糖粒
【図１】
0003196457.tif 000003
【図２】
0003196457.tif 000004
【図３】
0003196457.tif 000005
(57)【要約】      （修正有）【課題】軽量化することができ、組立式としてユニット化した陸こうを提供する。【解決手段】陸こうの主桁をトラス構造にすることにより、耐水圧を鋼材の曲げ応力度で対抗するものを引張・圧縮応力度で対抗することにより、鋼材使用量を低減し、軽量化することができる。さらに、各トラス部で耐水圧を対抗することから、主桁の如何なる場所でも分解ができることから、分解組立式のユニット化が可能となり、如何なる場所・長スパンおよび高扉体高の陸こうを製作・運搬・据付することができるものである。【選択図】図３
0003196286.tif 000002
【実用新案登録請求の範囲】
【請求項１】
「陸こう」の主桁をトラス構造にすることにより、主桁鋼材の曲げ応力による耐水圧を引張・圧縮応力による耐水圧構造とすること。
【請求項２】
「陸こう」の主桁をトラス構造にすることにより、主桁を分割することが出来、ユニット化し、分割大型組立式「陸こう」を製作すること。
【考案の詳細な説明】
【技術分野】
【０００１】      本考案は、長スパン（Ｌ＝１０ｍ以上）高扉体高（Ｈ＝３ｍ以上）の「陸こう」を分割・ユニット化したものである。
【背景技術】
【０００２】      従来の「陸こう」の主桁構造形式は、水圧をプレートガーター式による鋼材の曲げ応力により支持するものである。
【先行技術文献】
【特許文献】
【０００３】
【特許文献１】膜式水門構造物及び膜式水門  特開２０１３−２８９０１
【特許文献２】広幅乾ドック分割水門  公開実用  昭６０−１２００２３
【特許文献３】防潮堤扉  公開実用  昭５７−１６０３２６
【考案の概要】
【考案が解決しようとする課題】
【０００４】      長スパンおよび高扉体高の「陸こう」は、主桁等の鋼材が大型化し、重量が多大となり、製作コストや設置コストならびにランニングコストが高まる。
【課題を解決するための手段】
【０００５】      課題を解決するために、従来のプレートガーター式構造をトラス式構造にするものである。
【考案の効果】
【０００６】    上記の手段により、「陸こう」の軽量化することが出来、組立式としユニット化するものである。
【図面の簡単な説明】
【０００７】
【図１】：「陸こう」一般図  「陸こう」の正面を陸側から見た図
【図２】：「扉体」鳥瞰図  「扉体」を陸側から見た図
【図３】：「扉体」ユニット化図  「扉体」を分割ユニット化した図
【考案を実施するための形態】
【０００８】  各段主桁が、トラス式構造になっていることより、各段主桁を一体化し、長スパンを分割ユニット化し、運搬・据付を容易にする。
分割ユニット化の扉体は工場製作とし、分割ユニットは設置場所において組立・据付を行う。
【産業上の利用可能性】
【０００９】  東日本大震災以降、長スパンおよび高扉体高「陸こう」の需要が高まっている。さらに、従来の海岸および河川沿いの設置位置が陸域内部へと移動するものが増している。
従来の「陸こう」にあっては、主桁が大型化し「陸こう」総重量が多大となり、製作・運搬等の条件がネックとなり、設置に支障が生じている。
本構造にあっては、軽量化とともに組立ユニット化することから、如何なる場所、長スパンおよび高扉体高の「陸こう」に対応できるものである。
【図１】
0003196286.tif 000003
【図２】
0003196286.tif 000004
【図３】
0003196286.tif 000005
【手続補正書】
【提出日】平成26年12月2日(2014.12.2)
【手続補正１】
【補正対象書類名】実用新案登録請求の範囲
【補正対象項目名】請求項１
【補正方法】変更
【補正の内容】
【請求項１】
陸こうの主桁をトラス構造にすることにより、主桁鋼材の耐する耐応力を曲げモーメントから、引張・圧縮応力に変えた耐水圧構造にすること特徴とする陸こう。
【手続補正２】
【補正対象書類名】実用新案登録請求の範囲
【補正対象項目名】請求項２
【補正方法】変更
【補正の内容】
【請求項２】
大型陸こうの主桁をトラス構造にすることにより、トラス構造の特有である静定構造から、主桁を分割することが出来、ユニット化し、製作・組立の出来ることを特徴とする陸こう。
(57)【要約】      （修正有）【課題】小型ファンが付いた専用の服が不要であり、選べる服が多くなる引掛式体冷却ファンを提供する。【解決手段】モーターと小型ファンを内蔵した本体に、服に差し込む板状の部材と、外気を確保するために蛇腹のホース４を設けた。また、本体に設けた空気吹き出し口に横に広がった覆い１を設け、覆いの上部を上からかぶせる形にし、覆いの上部のひさしを覆いの下部より長くし、覆いの上部のふちを他の部分より丸みを厚くした。この覆いで、風は体にぶつかった後上や左右に広がるので、より涼しくなる。【選択図】図１
0003196289.tif 000002
【実用新案登録請求の範囲】
【請求項１】
外気の確保に蛇腹のホースをつける。
【請求項２】
空気の吹き出し口に、横に広がった覆いをつける。上部は、風の吹き出し口を上からかぶせる形にして、出来るだけ、風が上に出ないようにする。上部のひさしは、下部より長い。体にぶつかるおそれがあるので、上部のふちは他より丸みを厚くする。
【考案の詳細な説明】
【技術分野】
【０００１】本考案は、体を冷やすための小型ファンに関する。
【背景技術】
【０００２】従来の小型ファンを使って体を冷やす技術には、ファン、電源などの全てを内蔵したベルトの形の「衣服の強制通気冷却用装置」がある。（特許文献１参照）また、専用の衣服に小型ファンをつけたものがある。（例えば、特許文献２）
【先行技術文献】
【特許文献】
【０００３】
【特許文献１】特公Ｈ６−１２８８０１
【特許文献２】特公２００５−１６４１９
【考案の概要】
【考案が解決しようとする課題】
【０００４】しかしながら、風が吹き出るベルトは、上着の下に装着しなければ効果が得られない。その場合、上着の裾がファンの空気取り込み口に吸い付き、外気の取り込みが困難になる。他の技術は、小型ファンと服が一体になっているので、その服しか着られないなどの点で不利がある。
【課題を解決するための手段】
【０００５】本考案は、筒の中に小型ファンを入れて、服のウエストに引っ掛ける形にする。外気の取り込みに、蛇腹のホースをつける。蛇腹のホースを、上着の長さに応じて伸縮させて、外気を確保する。本体上部に覆いを付けて、風の向きを変える。風は背中に向かって吹き、体にぶつかったあと、左右に広がる。風が横に広がるので、背中全体が涼しくなる。これにより上記課題を解決する。
【考案の効果】
【０００６】本考案は、蛇腹のホースが伸縮して、上着を着ていても外気の取り込みが確保できるようになった。空気の吹き出し口につけた覆いで、風が背中全体に当たるようになった。小型ファンが付いた専用の服は必要なくなり、選べる服が多くなった。これにより、上記課題を解決するものである。
【図面の簡単な説明】
【０００７】
【図１】本考案の概略図
【考案を実施するための形態】
【０００８】図１に示すように、本体はモーターと小型ファンを内蔵し、脇に電源がある。本体の上に、風の向きを変えるフードのような覆いを取り付ける。本体の下に蛇腹のホースを取り付ける。覆いの風の吹き出し方向に、服に差し込む板状のものをつける。覆い、本体、蛇腹のホース、それぞれの接続箇所に網様の部品をつけて、小型ファンとモーターを囲む。
【符号の説明】
【０００９】１  風の向きを変える覆い
２  網様の部品
３  電池ケース
４  蛇腹のホース
【図１】
0003196289.tif 000003
【手続補正書】
【提出日】平成26年12月2日(2014.12.2)
【手続補正１】
【補正対象書類名】実用新案登録請求の範囲
【補正対象項目名】全文
【補正方法】変更
【補正の内容】
【実用新案登録請求の範囲】
【請求項１】
モーターと小型ファンを内蔵した本体に、服に差し込む板状の部材と、外気を確保するために蛇腹のホースを設けたことを特徴とする引掛け式体冷却ファン。
【請求項２】
本体に設けられた空気吹き出し口に横に広がった覆いを設け、覆いの上部を上からかぶせる形にし、覆いの上部のひさしを覆いの下部より長くし、覆いの上部のふちを他の部分より丸みを厚くしたことを特徴とする請求項１に記載の引掛け式体冷却ファン。
【手続補正２】
【補正対象書類名】明細書
【補正対象項目名】０００５
【補正方法】変更
【補正の内容】
【０００５】本考案は、モーターと小型ファンを内蔵した本体に、服に差し込む板状の部材と、外気を確保するために蛇腹のホースを設けた。本体に設けられた空気吹き出し口に横に広がった覆いを設け、覆いの上部を上からかぶせる形にし、覆いの上部のひさしを覆いの下部より長くし、覆いの上部のふちを他の部分より丸みを厚くした。これにより上記課題を解決する。
【手続補正３】
【補正対象書類名】明細書
【補正対象項目名】０００８
【補正方法】変更
【補正の内容】
【０００８】図１に示すように、本体はモーター小型ファンを内蔵し、脇に電源がある。本体の空気吹き出し口に、風の向きを変えるフードのような覆いを取り付ける。本体の空気取り入れ口に蛇腹のホースを取り付ける。覆いの風の吹き出し方向に、服に差し込む板状の部材をつける。覆い、本体、蛇腹のホース、それぞれの接続箇所に網様の部品をつけて、小型ファンとモーターを囲む。
(57)【要約】      （修正有）【課題】強風で傘があおられても、傘は反り返らず、骨が折れることもない風折れ防止の風がぬける傘を提供する。【解決手段】傘全体を覆う外側の布と、外側布の内側に形成され、石突より離れたところから傘を覆う内側の布とからなる。外側の布で雨を避け、傘をあおる強風は筒をぬけ出る。【選択図】図１
0003196290.tif 000002
【実用新案登録請求の範囲】
【請求項１】
外側の布は傘全体を覆い、石突より離れたところから、内側の布と二重になっている。
【請求項２】
内側の布が石突まで伸びた長さと、外布の縁の長さの差は、布が重なる手前でギャザーかタックで処理する。
【請求項３】
布が重なった場所で、外側の布は内側の布より幅が広い。幅の差は、柄の方向に行くほど小さくなる。
【考案の詳細な説明】
【技術分野】
【０００１】本考案は、風折れ防止傘に関する
【背景技術】
【０００２】従来の風折れ防止傘には、傘布の一部を切り、開口部から風を逃がしたものがある。ほかにも、特別な傘骨で対応する技術がある。
【先行技術文献】
【特許文献】
【０００３】
【特許文献１】特公平１１−１６９２１６
【特許文献２】特公２０１１−２０６５０５
【考案の概要】
【考案が解決しようとする課題】
【０００４】しかしながら、傘布に風の抜ける穴を開けて、雨水の浸入を防ぐ工夫をしても、開閉を繰り返せば内部まで濡れてしまう。また、傘骨の改良では材料費が高価になりがちになるなどの不利がある。
【課題を解決するための手段】
【０００５】本考案は、外側の布が傘骨全体を覆うので、雨が傘の中に侵入しない。傘の内部は、内側から布を重ねて作った筒が、石突の周りを囲っている。風は筒を抜けて排出されるので、傘はそり返らない。図２のように、柄の近くの外側の布と内側の布の幅の差は、石突方向での幅の差より小さい。傘をたたんだときに、外布がたるんで内布につかないためである。雫が内側の布から傘内に侵入するのをさけた。これにより上記課題を解決する。
【考案の効果】
【０００６】本考案は、外側の布が傘全体を覆っているので、布の隙間から雨が浸入しない。強風で傘があおられても、侵入した風は、二重になった布の間を通って外に出る。傘は反り返らず、骨が折れることもない。軽くて安価な防水布が多くあるので、布を二重にしても重くならない。縫製も困難な箇所はない。見た目にも奇抜ではない、風折れ防止の傘である。これにより上記課題を解決するものである。
【図面の簡単な説明】
【０００７】
【図１】本考案の概略図
【図２】外側の布と、内側の布の縫合前
【考案を実施するための形態】
【０００８】傘は、同じ形の布を何枚か、縫い合わせて出来ている。各布には、それぞれ台形の内側の布をつける。内側の布と重なる箇所は、外側の布の幅を、内側の布より広くする。石突の近くは外側の布だけになるが、この部分は内側の布の延長線上にある。布が重なる手前で、外側の布の長さが余るが、ギャザーかタックで処理する。処理した箇所は、ドームの形に膨らんで、二重になった布の間に風を誘う。
【符号の説明】
【０００９】１  外側の布
２  内側の布
【図１】
0003196290.tif 000003
【図２】
0003196290.tif 000004
【手続補正書】
【提出日】平成26年12月2日(2014.12.2)
【手続補正１】
【補正対象書類名】実用新案登録請求の範囲
【補正対象項目名】全文
【補正方法】変更
【補正の内容】
【実用新案登録請求の範囲】
【請求項１】
傘全体を覆う外側の布と、外側布の内側に形成され、石突より離れたところから傘を覆う内側の布とからなることを特徴とする風がぬける傘。
【請求項２】
外側布の余分な長さを、外側布と内側布が重なる手前にギャザーかタックで処理した部分を設けたことを特徴とする請求項１に記載の風がぬける傘。
【請求項３】
外側布と内側布が重なった場所で、外側の布は内側の布より幅が広く、幅の差が柄の方向に行くほど小さくなることを特徴とする請求項１又は請求項２に記載の風がぬける傘。
(57)【要約】      （修正有）【課題】ペットの四脚を利用し、ペットを安定させ、移動することのできる小型で軽いキャリーバッグを提供する。【解決手段】本体１に開けた４つの穴３、４、５、６にペットの４つ脚を挿入し、取っ手２で、ペット本体を包んで持ち上げる事でペットを固定し重心の移動をなくした。顔、背中、尻尾、脚が大気に触れている開放型のバッグであるためペットの不安感も解消できる。【選択図】図１
0003196293.tif 000002
【実用新案登録請求の範囲】
【請求項１】
本考案は図１の本体に４つ脚動物の前脚、後脚の計４本に相対する４つの適宜な挿入穴３、４、５、６を開け、その穴に各脚を挿入することにより動物本体を安定させ、取っ手２で動物本体を包むことにより動物を持ち運びするようにしたもの。
【請求項２】
請求項１の４つ穴を図２のように２つ穴にしたもの。
【請求項３】
請求項１に記載の取っ手２をショルダーストラップに置き換えたもの。
【考案の詳細な説明】
【技術分野】
【０００１】  この考案は、ペットの四脚を利用し、ペットを安定させ、移動することのできる新しいタイプのキャリーバッグに関するものである。
【背景技術】
【０００２】  従来はペットを移動させるとき、箱型のような閉鎖型タイプのキャリーバッグに入れて移動していた。このようなバッグは大きくなり易く重量も重く、内部でペットが動くために移動中もバッグが安定せず持ち辛さが否めなかった。また、ペットもバッグに閉じ込められるため不安があり、暴れたり、吼えたりする傾向があった。
【考案の概要】
【考案が解決しようとする課題】
【０００３】  従来からあるペット用バッグは大型化、重量化しやすく、バッグを携行し移動する時のバッグ内のペットの移動等により発生するバッグ携行時の重心の不安定感が発生し持ち辛く、またペット自体の閉所に対する不安感が否めない課題があった。
【課題を解決するための手段】
【０００４】  本考案は上記課題を解決するためにペットの４脚を本体底部に適宜に開けた２つから４つの穴に挿入させることによりペットを固定し、取っ手を持ち上げることにより本体でペットを包むように固定した。【０００５】  その解決手段を図面に追いながら説明すると、本体に開けた脚挿入用４つ穴３、４、５、６に各々ペットの脚を挿入し、本体に取り付けた取っ手を持ち上げることでペットを固定し、移動することを可能にした。脚挿入用穴が２つ穴の場合は穴３、５に各々ペットの脚を挿入する。
本考案を実施した参考図を図３と図４に記載した。
【図面の簡単な説明】
【０００６】
【図１】  本考案（４つ穴）の正面図
【図２】  本考案（２つ穴）の正面図
【図３】  本考案を実施した斜視図
【図４】  本考案を実施した側面図
【符号の説明】
【０００７】  １はキャリーバッグ本体
２は取っ手
３は脚挿入用穴
４は脚挿入用穴
５は脚挿入用穴
６は脚挿入用穴
【考案を実施するための形態】
【０００８】  ペットの４つ脚を各挿入用穴に入れ、取っ手を持ち上げるだけでペットが固定され、安定した移動が可能となる。
【産業上の利用可能性】
【０００９】  バッグ自体が軽量であるため折畳んで携帯するのが容易である。【００１０】  身体に障害のあるペットの移動にも適している。
【図１】
0003196293.tif 000003
【図２】
0003196293.tif 000004
【図３】
0003196293.tif 000005
【図４】
0003196293.tif 000006
【手続補正書】
【提出日】平成26年11月25日(2014.11.25)
【手続補正１】
【補正対象書類名】実用新案登録請求の範囲
【補正対象項目名】全文
【補正方法】変更
【補正の内容】
【実用新案登録請求の範囲】
【請求項１】
本体に４つ脚動物の前脚、後脚の計４本に相対する４つの適宜な挿入穴（３、４，５，６）を開け、その穴に各脚を挿入することにより動物本体を安定させ、取っ手（２）で動物本体を包むことにより動物を持ち運びするようにしたペット用キャリーバッグ。
【請求項２】
請求項１のペット用キャリーバッグにおいて、左右の前脚に対応する２つの挿入穴（３，４）を連結して一つの挿入穴とし、左右の後脚に対応する２つの挿入穴（５、６）を連結して一つの挿入穴としたペット用キャリーバッグ。
【請求項３】
請求項１のペット用キャリーバッグにおいて、取っ手（２）をショルダーストラップに置き換えたペット用キャリーバッグ。
(57)【要約】      （修正有）【課題】簡単に展示品の入れ替えができる額縁つき屏風を提供する。【解決手段】屏風の表装７にを好みの柄生地、柄紙を貼り、その表装の上にさらに背景生地１、紙を貼り、その上に、あるいは中に数枚の額縁２を取り付け、額縁には、ガラス板または、プラシチック板で押えた好みの写真、文字、貨幣紙幣、絵画等の展示品３を入れ、また額なしには、展示品を背景生地または紙に直接貼り付ける。【選択図】図２
0003196298.tif 000002
【実用新案登録請求の範囲】
【請求項１】
屏風の表装を好みの柄生地又は柄紙を貼り、表装の上に背景生地又は紙を貼り、その上に又は中に数枚の額縁を取り付ける、又は額縁無しに直接展示品を貼り付ける。額縁はガラス板、プラシチック板等の押え板付き、又はガラス板、プラシチック板等の押え板無しの額縁に、好みの写真、文字、貨幣紙幣、絵画等を入れる、又は額縁無しに、写真等を写真かど止めで、背景生地又は紙に直接貼り付け、展示品の入れ替えできる屏風。
【考案の詳細な説明】
【技術分野】
【０００１】本考案は、屏風の表面に好みの柄布又は紙を貼り、その中に背景布地又は紙を貼り、その背景布地又は紙に額縁を取り入れ、写真、文字、紙幣硬貨、絵画等を入れる、又は背景布地又は紙に直接はりつけ、展示品の入れ替えの出来る風屏。
【背景技術】
【０００２】屏風の表装に柄布又は柄紙を貼り、その柄表装に背景布地又は紙を貼り、背景布地に写真、文字、紙幣硬貨、絵画等の好みの品を随時入れ替えできる額縁付き又は額縁無しの屏風。
【考案の概要】
【０００３】一般的な屏風の表装に、柄布又は柄紙を貼り、その上に背景布地又は紙を貼り、背景布地又は紙の上又は中に額縁を入る。又は額縁なしに背景布地又は紙に写真、文字、貨幣紙幣、絵画の品を入れ、随時展示品の入れ替えを出来る様にする。
【考案が解決しようとする課題】
【０００４】屏風の表装を柄にして、屏風内の展示品を簡単に入れ替え出来る様にする。
【課題を解決する為の手段】
【０００５】本考案は、屏風の表装を柄布又は柄紙にして、表装の中に背景布地又は紙を貼り、背景地の上又は中に写真等の入れ替えの出来る屏風。
【考案の効果】
【０００６】本考案の表装に柄布又は柄紙の中に、背景布地又は紙の上又は中に額縁付き又は額縁なしの中に入れた、写真、文字、貨幣紙幣、絵画を、簡単に入れ替え出来る様にする。
【考案を実施するための形態】
壁に取り付け出来る様にし、屏風の表装を好みの柄布又は柄紙にして、その中に写真、文字、紙幣硬貨、絵画の入れ替え出来る額縁付き又は額縁なしの屏風にする。
【実施例】
【０００７】添付図面に従って実施例を説明する。１は屏風表装に柄布を貼り、屏風表装柄の中に背景布を貼り、その上に額縁を取り入れた屏風。２は中額縁入れ。
【図面の簡単な説明】
【０００８】
【図１】本考案の屏風の表に、柄布を貼り、その中に背景布地を貼り、その上に額縁を取り付けた実施例を示す、全体図である。
【図２】本考案の屏風内の詳細面図である。
【符号の説明】
【０００９】１    背景生地
２    入れ替え可能な額縁
３    写真、絵、文字。紙幣貨幣
４    枠
５    裏布地
６    フレーム
７    表装布地
８    飾り縁
【図１】
0003196298.tif 000003
【図２】
0003196298.tif 000004
【手続補正書】
【提出日】平成26年12月5日(2014.12.5)
【手続補正１】
【補正対象書類名】実用新案登録請求の範囲
【補正対象項目名】全文
【補正方法】変更
【補正の内容】
【実用新案登録請求の範囲】
【請求項１】
屏風の表装を好みの柄生地、柄紙を貼り、その表装の上にさらに背景生地、紙を貼り、その上に、あるいは中に数枚の額縁を取り付け、額なしの場合には、直接展示品を貼り、額縁には、ガラス板または、プラシチック板で押え、好みの写真、文字、貨幣紙幣、絵画を入れ、また額なしには、展示物を背景生地または紙に直接貼り付け、柄の表装に、展示物の入れ替え可能な屏風。
(57)【要約】      （修正有）【課題】ゴルフパッテイングにおいて正確に両目をボールおよびパッティングライン真上に構えることができるアドレスチェック用プレートを提供する。【解決手段】２枚のプレート間に幅５ｍｍ深さ９ｍｍ程度の溝を持つ形状を特徴とする、パッティングのアドレスチェック用プレートであって、前記プレート溝側面は、プレート平面に対して９０度の方向であり、前記プレート溝底面色は、視認性の高い明るい色で構成された構造を有する。【選択図】図１
0003196203.tif 000002
【実用新案登録請求の範囲】
【請求項１】
２枚のプレート間に幅５ｍｍ深さ９ｍｍ程度の溝を持つ形状を特徴とする、
ゴルフ練習用具、パッティングのアドレスチェック用プレート。
【請求項２】
前記プレート溝側面は、プレート平面に対して９０度の方向であることを特徴とする、
請求項1に記載の、パッティングのアドレスチェック用プレート。
【請求項３】
前記プレート溝底面色は、視認性の高い明るい色で構成された構造を有することを特徴とする、
請求項1または２に記載のパッティングのアドレスチェック用プレート。
【考案の詳細な説明】
【技術分野】
【０００１】
本考案はゴルフパッテイングアドレス時、両目をボールおよびパッティングライン真上に誘導することによって、正しくパッティングアドレスできるようにするパット練習具である。
【背景技術】
【０００２】
従来の練習具においてはボールと目の間に紐、器具などが介在するタイプが多く、練習スイングの邪魔になる、器具の運搬設置が面倒、毎回ボールを正確な位置に置くのが面倒なタイプが多く見受けられる。
【先行技術文献】
【特許文献】
【０００３】
【特許文献１】特許公開２００５−２３０３９８
【非特許文献】
【０００４】
【非特許文献１】省略
【考案の概要】
【考案が解決しようとする課題】
【０００５】
ゴルフにおいて、ショートパットが入らない、入る気がしない、パット不調なプレーヤーが、正しい目線、アドレスによって自信をもって構えられるようにするパット練習具である。
【課題を解決するための手段】
【０００６】
ゴルフのパッテイングにおいては正確に両目をボールおよびパッティングライン真上に構えることが大切で、
正しくボールを見ることによってラインの見間違い、立ち間違いを防ぎます。
手段としてはパッティングアドレスチェッカーの谷底ラインを両目で見える位置に立つだけで自動的に
ボールおよびパッティングラインの真上に両目の位置を正確に構えられる。
同時にボールと体の距離が決まり、正しいボールの位置を確定できます。
パッティングアドレスチェッカーに対してスクエアにアドレス習慣を身に付けられる。
【考案の効果】
【０００７】
ボールおよびパッティングラインの真上に両目の位置を正確に構えられ、ラインへの立ち間違いを防ぎます。
【０００８】
足元に置いて垂直壁を持つ直線溝の黒い線の底面を覗き込むだけで、簡単にライン上に両目を配置できる。
【０００９】
自動的にボールと体の正しい距離が決められる。
【００１０】
長方形の形状のためパッティングラインに対してスクエアに構える習慣を身に付けられる。
【００１１】
パッティングアドレスチェッカー上で素振り、ブラッシングすることで、まっすぐなストロークおよび最下点がどこかのチェックが出来る。
【図面の簡単な説明】
【００１２】
【図１】本考案、パッティングアドレスチェッカーの説明図である。溝底面の黒い線を覗き込むように、使用する。
【図２】パッティングアドレスチェッカー使用時の図
【考案を実施するための形態】
【００１３】
パッティングアドレスチェッカーは長方形プレートに垂直壁と水平な底面を持つ直線溝が設置された構造である。
【実施例】
【００１４】
目標ライン上に沿って足元に置いて、溝の底面を覗き込み、黒い線がもっとも太く見える場所が両目の位置となる。
プレート上で素振りが出来るので、ストロークのチェックもできる。
【産業上の利用可能性】
【００１５】
ショートパットに悩んでいるゴルフプレーヤー、正確なパットアドレスを追及するアスリート、不調なプロ用です。
【符号の説明】
【００１６】
溝底面の黒い線が目で見る目標となる。
【図１】
0003196203.tif 000003
【図２】
0003196203.tif 000004
(57)【要約】      （修正有）【課題】溝に溜まっているホコリを絡め取り、結露の水と共に吸いとって汚れを取り除き、窓を開閉させるだけで常に清潔な状態が保たれる窓サッシ掃除スポンジを提供する。【解決手段】略直方体のスポンジを用い、側面を直角三角形の楔状２に形成し、楔の先端の方を前部３とし部厚い反対側を後部４とし、後部面を粘着面として粘着素材５を設け、内側外側の二つの溝に分かれたレール１上をスライドする内・外二つの窓サッシの縦枠６の、共にレール中央側の、相互に対面する側に取り付ける。窓を開閉する事で窓サッシのレールのホコリや結露の水が絡め吸い取られ綺麗になる。【選択図】図１
0003196280.tif 000002
【実用新案登録請求の範囲】
【請求項１】
略直方体のスポンジを用い、平面の幅が平均的な窓サッシのレール幅に相当し、側面は直角三角形の楔状に形成され、楔の先端の方を前部とし部厚い反対側をが後部とし後部の高さは一般的な窓サッシのレールの深さよりおよそ１センチ程高くし、前部の高さはおよそ５ミリ程で全部から後部までの長さは平均的な窓サッシのレール幅の約２倍に相当し、後部面を粘着面として粘着素材を設けるのであるが、スポンジの形が略直方体でなくても、側面が直角三角形でなくても効果は同じである事も特徴とした窓サッシ掃除スポンジ。
【考案の詳細な説明】
【技術分野】
【０００１】  本考案は、窓サッシの掃除に関するものである。
【背景技術】
【０００２】  従来、窓サッシはなかなか頻繁に掃除をする箇所ではないため、汚れや結露がたまりやすく、カビなどが発生しやすかった。
【考案の概要】
【考案が解決しようとする課題】
【０００４】  窓サッシは日常生活の中で頻繁に掃除することが難しくホコリや結露などにより、カビが発生しやすくなっていた。
【課題を解決するための手段】
【０００５】  略直方体のスポンジを用い、平面の幅が平均的な窓サッシのレール幅に相当し、側面は直角三角形の楔状に形成され、楔の先端の方を前部とし部厚い反対側をが後部とする。
後部の高さは一般的な窓サッシのレールの深さよりおよそ１センチ程高くし、前部の高さはおよそ５ミリ程で全部から後部までの長さは平均的な窓サッシのレール幅の約２倍に相当し、後部面を粘着面として粘着素材を設ける。
内側外側の二つの溝に分かれたレール上をスライドする内・外二つの窓サッシの縦枠の、共にレール中央側の、相互に対面する側に粘着面をつけ、窓を開閉する事で窓サッシのレールのホコリや結露の水が絡め吸い取られ綺麗になる。
なおスポンジの形が略直方体でなく側面が直角三角形でなくても効果は同じである。
以上を特徴とする窓サッシ掃除スポンジである。
【考案の効果】
【０００６】  スポンジを設けることにより、溝に溜まってるホコリを絡め取り、溝に溜まった結露の水と共に吸いとって汚れを取り除き、窓を開閉させるだけで常に清潔な状態が保たれる。
【図面の簡単な説明】
【０００７】
【図１】  本考案の実施状態を表した拡大斜視図
【図２】  本考案の拡大斜視図
【考案を実施するための形態】
【０００８】  本考案を実施するときの形態を説明する。
略直方体のスポンジを用い、平面の幅が平均的な窓サッシのレール（１）幅に相当し、側面は直角三角形の楔状（２）に形成され、楔の先端を前部（３）とし、部厚い反対側を後部（４）とする。
後部（４）の高さは一般的な窓サッシのレール（１）の深さよりおよそ１センチ程高くし、前部（３）の高さはおよそ５ミリ程で前部（３）から後部（４）までの長さは平均的な窓サッシのレール（１）幅の約２倍に相当し、後部面を粘着面として粘着素材（５）を設ける。
本考案を使用するときは、内側外側の二つの溝に分かれたレール上をスライドする内・外二つの窓サッシの縦枠（６）の、共にレール（１）中央側の、相互に対面する側に粘着面をつけ、窓を開閉する事で窓サッシのレール（１）のホコリや結露の水が絡め吸い取られ綺麗になる。
【符号の説明】
【０００９】  １  レール、２  楔状、３  前部、４  後部、５  粘着素材、６  縦枠、
【図１】
0003196280.tif 000003
【図２】
0003196280.tif 000004
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
略直方体のスポンジを用い、平面の幅が平均的な窓サッシのレール幅に相当し、側面は直角三角形の楔状に形成され、楔の先端の方を前部とし部厚い反対側をが後部とし後部の高さは一般的な窓サッシのレールの深さよりおよそ１センチ程高くし、前部の高さはおよそ５ミリ程で全部から後部までの長さは平均的な窓サッシのレール幅の約２倍に相当し、後部面を粘着面として粘着素材を設けるのであるが、スポンジの形が略直方体でなくても効果は同じである事も特徴とした窓サッシ掃除スポンジ。
【手続補正書】
【提出日】平成26年9月30日(2014.9.30)
【手続補正１】
【補正対象書類名】実用新案登録請求の範囲
【補正対象項目名】全文
【補正方法】変更
【補正の内容】
【実用新案登録請求の範囲】
【請求項１】
略直方体のスポンジを用い、平面の幅が平均的な窓サッシのレール幅に相当し、側面は直角三角形の楔状に形成され、楔の先端の方を前部とし部厚い反対側をが後部とし後部の高さは一般的な窓サッシのレールの深さよりおよそ１センチ程高くし、前部の高さはおよそ５ミリ程で全部から後部までの長さは平均的な窓サッシのレール幅の約２倍に相当し、後部面を粘着面として粘着素材を設ける事を特徴とした窓サッシ掃除スポンジ。
(57)【要約】      （修正有）【課題】閉塞が強固且つ信頼性が高く、構造が簡単で、製造コストが低く、閉塞工程が迅速で簡便であり、閉塞部材に脱落が発生せず、生産工程用孔の漏れによる危険を防ぐ密封端型リベットを提供する。【解決手段】リベットマンドレルとリベットシェル１からなり、リベットシェルは中空且つ一端が密封される円柱状を呈し、密封端に内側に窪んだ弧形２が設けられ、リベットマンドレルが芯棒部３と頭部４からなり、リベットマンドレルは頭部を介してリベットシェルの中に挿設され、リベットマンドレルの頭部の上端部には、窪んだ弧形に適合する凹部５が設けられ、リベットマンドレルの頭部全体は錐台状を呈する。【選択図】図１
0003196227.tif 000002
【実用新案登録請求の範囲】
【請求項１】
リベットマンドレルとリベットシェルとを含み、前記リベットシェルは中空かつ一端が密封される円柱状で、前記円柱状のリベットシェルの密封される端部には、内側に窪んだ弧形が設けられ、前記リベットマンドレルは芯棒部と頭部とからなり、前記リベットマンドレルは前記頭部を介して前記円柱状のリベットシェルの中に密接に挿設され、前記リベットマンドレルの頭部の上端部には、前記円柱状のリベットシェルの密封される端部の窪んだ弧形に対応する凹部が設けられ、前記リベットマンドレルの頭部全体は錐台状を呈することを特徴とする密封端型リベット。
【請求項２】
前記リベットシェルの密封される端部の外側周囲は、円弧形の面取りが設けられることを特徴とする請求項１に記載の密封端型リベット。
【請求項３】
前記リベットマンドレルの芯棒部が頭部と接合する箇所に断口が設けられることを特徴とする請求項１に記載の密封端型リベット。
【請求項４】
前記リベットマンドレルの芯棒部上に滑り止め環状溝が設けられることを特徴とする請求項１に記載の密封端型リベット。
【請求項５】
前記円柱状のリベットシェルの中の内表面は、リベットマンドレルの頭部の外表面と適合し相互に密着することを特徴とする請求項１に記載の密封端型リベット。
【考案の詳細な説明】
【技術分野】
【０００１】
本実用新案は、リベットに関し、具体的には、閉塞用リベットに関する。
【背景技術】
【０００２】
加工、測量、装着の技術を満足なものにするために、生産工程用孔と称する孔をワーク上に増設し、前記生産工程用孔は最終的に閉塞される。例えば、クランク、ピストン、シリンダ及び発動機シリンダ体のような部材の上に加工する際に形成される生産工程用孔を閉塞すべきである場合、閉塞部材に対する要求は非常に高く、現在、これら特殊な場合に使用される閉塞方法は、おおよそ膨張ボール閉塞、スクリュー封止閉塞、およびボルト封止閉塞である。上記閉塞方法を使用する際に、高温、高圧の繰り返し又は強烈な振動などの状況下で、閉塞部材が依然脱落するおそれがあり、閉塞された生産工程用孔に漏れが発生した場合、非常に危険な事態をもたらすとともに、脱落した閉塞部材が抜け落ちた後に、閉塞された主体に対し計り知れない損失をもたらす。
【考案の概要】
【考案が解決しようとする課題】
【０００３】
本実用新案の目的は、上述した不足を解決し、閉塞が強固であり且つ信頼性が高く、構造が簡単であり、製造コストが低く、閉塞工程が迅速で簡便であり、閉塞部材に不測の脱落が絶対に発生しない新型の密封端型リベットを提供することである。
【課題を解決するための手段】
【０００４】
本実用新案は、上記技術的課題を解決するために、以下の技術的特徴を採用する。
【０００５】
リベットマンドレルとリベットシェルとを含み、前記リベットシェルは中空かつ一端が密封される円柱状で、前記円柱状のリベットシェルの密封される端部には、内側に窪んだ弧形が設けられ、前記リベットマンドレルは芯棒部と頭部とからなり、前記リベットマンドレルは前記頭部を介して前記円柱状のリベットシェルの中に密接に挿設され、前記リベットマンドレルの頭部の上端部には、前記円柱状のリベットシェルの密封される端部の窪んだ弧形に対応する凹部が設けられ、前記リベットマンドレルの頭部全体は錐台状を呈することを特徴とする密封端型リベット。
【０００６】
前記リベットシェルの密封される端部の外側周囲は、円弧形の面取りが設けられる。
【０００７】
前記リベットマンドレルの芯棒部が頭部と接合する箇所に断口が設けられる。
【０００８】
前記リベットマンドレルの芯棒部上に滑り止め環状溝が設けられる。
【０００９】
前記円柱状のリベットシェルの中の内表面は、リベットマンドレルの頭部の外表面と適合し相互に密着する。
【考案の効果】
【００１０】
本実用新案が採用した上記技術により得られる有益な効果は、以下の通りである。閉塞が強固であり且つ信頼性が高く、構造が簡単で、製造コストが低く、このリベット閉塞方法で生産工程用孔の閉塞を行うことにより、専用リベットガンとともに使用することにより非常に便利で、閉塞工程が迅速且つ簡便である。リベット閉塞工程において、リベットマンドレルの頭部はリベットシェル内から引き抜かれるとき、リベットシェルの密封端部に内側に窪んだ弧形が設けられ、リベットシェルの密封端部の外側周囲に円弧形の面取りが設けられるので、リベットシェルは頭部の押し圧作用の下、リベットシェルの上部が外側周囲に向かって一定の変形を生成し、この生成された変形により生産工程用孔の内壁と緊密な押し圧密封作用が生じ、リベットマンドレルの頭部がリベットシェル内からの引き抜きが終了する際に、リベットシェルの下部は、頭部の錘形面の作用の下、更に外側に向かって一定の変形をもたらし、該変形は、生産工程用孔の内壁に緊密な押し圧密封作用を生じる。このようなリベットシェルは、より緊密に生産工程用孔に密封して閉塞することができる。このほか、リベットシェルの一端は密封端状を呈しているので、リベット閉塞が完了した後、リベットシェルはリベットマンドレルの頭部とともに生産工程用孔内に閉塞し、完全に密封して閉塞状態を形成する。その閉塞形式は、従来の閉塞方法と比較して更に強固であり、脱落することがなく、生産工程用孔の漏れによる危険性を完全に防止することができる。
【図面の簡単な説明】
【００１１】
【図１】本実用新案の構造図である。
【考案を実施するための形態】
【００１２】
図１に示すように、新型の密封端型リベットは、主に、リベットマンドレルとリベットシェル１とを含み、前記リベットシェル１は中空かつ一端が密封される円柱状で、前記円柱状のリベットシェル１の密封される端部には、内側に窪んだ弧形２が設けられ、前記リベットマンドレルは芯棒部３と頭部４とからなり、前記リベットマンドレルは前記頭部４を介して前記円柱状のリベットシェル１の中に密接に挿設され、前記リベットマンドレルの頭部４の上端部には、前記円柱状のリベットシェル１の密封される端部の窪んだ弧形２に対応する凹部５が設けられ、前記リベットマンドレルの頭部４全体は錐台状を呈する。前記リベットシェル１の密封される端部の外側周囲は、円弧形の面取り６である。前記リベットマンドレルの芯棒部３が頭部４と接合する箇所に断口７が設けられる。前記リベットマンドレルの芯棒部３上に滑り止め環状溝８が設けられる。前記円柱状のリベットシェル１の中の内表面は、リベットマンドレルの頭部４の外表面と適合し相互に密着する。
【図１】
0003196227.tif 000003
(57)【要約】      （修正有）【課題】羽布に「シナリ」があり、研磨剤の「ノリ」に優れる研磨用羽布を提供する。【解決手段】外周部に複数の切欠部１ａ〜１ｄ、２ａ〜２ｄを形成した円形の単シート布１、２を複数枚重ねてあり、前記切欠部が交互又は順次、異ならせるように重ね縫着してあることを特徴とする。切欠部の形状や数には制限がない。このように仕上げに羽布を中心孔Ｐにて回転シャフトに取り付け、外周面に研磨剤を塗り、研磨加工に使用する。【選択図】図１
0003196214.tif 000002
【実用新案登録請求の範囲】
【請求項１】
外周部に複数の切欠部を形成した円形の単シート布を複数枚重ねてあり、
前記切欠部が交互又は順次、異ならせるように重ね縫着してあることを特徴とする研磨用羽布。
【請求項２】
前記単シート布の複数の切欠部は外周廻りに等間隔であることを特徴とする請求項１記載の研磨用羽布。
【請求項３】
前記切欠部の形状が円弧形状であることを特徴とする請求項１又は２記載の研磨用羽布。
【考案の詳細な説明】
【技術分野】
【０００１】
本考案は、金属表面等を研磨するのに用いる羽布に関する。
【背景技術】
【０００２】
金属製品，メッキ製品，樹脂製品等の製品の表面を研磨するのに各種羽布が使用されている。
その中で、金属表面を光沢仕上げするのに布羽布が広く使用されている。
布羽布も粗研磨，中研磨，仕上げ研磨等の工程により、使い分けされている。
布の材質としては、綿類，麻類等が使用されているが、これらの布そのものには研磨能力がなく、微小の砥粒を練り込んだペースト状の研磨剤を羽布表面に塗りつけて使用されている。
従って、羽布仕上げ品質には羽布の軟らかさ、即ち撓り程度や研磨剤の量が大きな影響を与える。
【０００３】
特許文献１には、切溝を設け、重ね合せた研磨体を開示するが、これは網目の研磨シートを重ね合せることで網目から接着剤が落ち、この接着剤が固着するのを防止するものであって、布羽布に関するものではない。
特許文献２には、複数のアーム部を有する研磨シートを折り畳み、研磨具とする技術を開示する。
しかし、同公報に開示する研磨具は、シートに砥粒を接着させた研磨シートを重ね合せるものであって、布羽布ではない。
【先行技術文献】
【特許文献】
【０００４】
【特許文献１】特開平６−２４６６４３号公報
【特許文献２】特開平５−２７７９５９号公報
【考案の開示】
【考案が解決しようとする課題】
【０００５】
本考案は、羽布に「シナリ」があり、研磨剤の「ノリ」に優れる研磨用羽布の提供を目的とする。
【課題を解決するための手段】
【０００６】
本考案に係る研磨用羽布は、外周部に複数の切欠部を形成した円形の単シート布を複数枚重ねてあり、前記切欠部が交互又は順次、異ならせるように重ね縫着してあることを特徴とする。
ここで、単シート布の複数の切欠部は外周廻りに等間隔であってよい。
また、本考案で単シート布の外周部に切欠部を設けるのは、重ね合せた際に羽布にシナリが発現し、例えばアルミニウム合金等の比較的軟い金属製品でも研磨しやすく、また切欠部を順次ずらしながら重ねることで、この切欠部による隙間にペースト状の研磨剤が保持され、ノリが良くなるからである。
従って、切欠部の形状に特に制限はないが、裁断しやすく重ね調整しやすい点では、この切欠部の形状は円弧状であってもよい。
また、羽布に「シナリ」を持たせるために、単シート布の外形から内側を複数の孔状に切り抜いてもよい。
【考案の効果】
【０００７】
本考案に係る羽布にあっては、外周部に複数の切欠部を有する単シート布をこの切欠部をずらしながら複数枚重ね合せ縫着したので、羽布の外周部のコシが軟らかくなり、しかも従来の羽布に比較し、研磨剤のノリが良いので光沢仕上げ作業において金属表面への当たりがよく、研磨ムラも発生しにくくなる。
また、本考案は砥粒の接着にニカワを用いたニカワ羽布にも適用できる。
【図面の簡単な説明】
【０００８】
【図１】単シート布の形状例を示し、その重ね合せ例を示す。
【図２】単シート布を複数枚重ね合せ、両側に切欠部のない単シート布を重ねた例を示す。
【図３】重ね合せた単シート布を縫着した状態の例を示す。
【考案を実施するための最良の形態】
【０００９】
以下、本考案に係る羽布の構造例を図面に基づいて説明する。
図１に単シート布１，２の例を示す。
単シート布は、麻，綿等の材質の布を用いる。
糸は、単糸でも双糸でもよく、カットはバラカット，バイアスカットの両方が例として挙げられる。
本実施例は、単シート布１，２の外周部に半円状の切欠部をａ〜ｄの４ヶ所に等間隔に形成した例を示すが、切欠部の形状や数には制限がない。
これらの単シート布を複数枚（２０〜５０枚）重ね合せた状態を図２に示す。
このように単シート布を交互に重ね合せる場合には、外周部に９０°毎に４ヶ所の切欠部を形成するのが作業性に優れる。
図２に示した例は、重ね合せた単シート布の両側に切欠部のない単シート布１１，１２を重ね合せる例であるが、この単シート布１１，１２は必ずしも必要でない。
図３に重ね合せた複数の単シート布をまとめて、糸で縫着した状態を示す。
縫着の範囲及びその方法に制限はない。
このように仕上げた羽布１０を中心孔Ｐにて回転シャフトに取り付け、外周面に研磨剤を塗り、研磨加工に使用する。
【符号の説明】
【００１０】
１        単シート布
２        単シート布
１０      羽布
Ｐ        中心孔
【図１】
0003196214.tif 000003
【図２】
0003196214.tif 000004
【図３】
0003196214.tif 000005